(57)【要約】【課題】バス電極だけで放電拡散が円滑にできるプラズマディスプレイパネル及びプラズマディスプレイ装置を提供することにある。【解決手段】本発明のプラズマディスプレイパネル及びプラズマディスプレイ装置は、スキャン電極またはサステイン電極の内一方の電極として機能する上部電極部及び下部電極部と、上部電極部と下部電極部との間に配置され、サステイン電極又はスキャン電極の内他方の電極として機能する第１中央電極部及び第２中央電極部とを備え、上部電極部と第１中央電極部との間に第１の放電空間が形成され、下部電極と第２中央電極との間に放電空間が形成されており、上部電極部、下部電極部、第１中央電極部、第２中央電極部のそれぞれは、複数のメイン電極と、複数個のメイン電極を互いに連結する連結電極部とを含むことを特徴とする。【選択図】図３
2006114497.tif 000002
【特許請求の範囲】
【請求項１】
放電セルと、
複数個の上部メイン電極と前記複数個の上部メイン電極それぞれを連結する上部連結電極部とを含み、前記放電セルの上部領域に形成される上部電極部と、
複数個の下部メイン電極と前記複数個の下部メイン電極それぞれを連結する下部連結電極部とを含み、前記放電セルの下部領域に形成される下部電極部と、
複数個の第１中央メイン電極と前記複数個の第１中央メイン電極それぞれを連結する第１中央連結電極部とを含み、前記上部電極部と前記下部電極部との間に形成される第１中央電極部と、
複数個の第２中央メイン電極と前記複数個の第２中央メイン電極それぞれを連結する第２中央連結電極部とを含み、 前記第１中央電極部と前記下部電極部との間に形成される第２中央電極部と、
を含むことを特徴とするプラズマディスプレイパネル。
【請求項２】
前記上部電極部及び前記下部電極部は、スキャン電極またはサステイン電極中の一つで
あり、前記第１中央電極部及び前記第２中央電極部は、前記スキャン電極または前記サステイン電極の中で残り電極であることを特徴とする、請求項１記載のプラズマディスプレイパネル。
【請求項３】
前記上部電極部と前記第１中央電極部とは第１放電ギャップを形成することを特徴とする、請求項１記載のプラズマディスプレイパネル。
【請求項４】
前記下部電極部と前記第２中央電極部とは第２放電ギャップを形成することを特徴とする、 請求項１記載のプラズマディスプレイパネル。
【請求項５】
前記上部電極部と前記第１中央電極部とが第１放電ギャップを形成し、前記下部電極部と前記第２中央電極部とが第２放電ギャップを形成しており、前記放電セルは２つの放電ギャップを有することを特徴とする、
請求項１に記載のプラズマディスプレイパネル。
【請求項６】
前記第１中央電極部と前記第２中央電極部は互いに分離していることを特徴とする、 請求項１乃至５何れか記載のプラズマディスプレイパネル。
【請求項７】
前記第１中央電極部と前記第２中央電極部との間の間隔は、５０μｍ以上２００μｍ以下であることを特徴とする、請求項６記載のプラズマディスプレイパネル。
【請求項８】
前記上部連結電極部、 前記下部連結電極部、 前記第１中央連結電極部及び前記第２中央連結電極部の中で少なくとも一つは、２つ以上の連結電極を含むことを特徴とする、請求項１記載のプラズマディスプレイパネル。
【請求項９】
前記上部メイン電極、 前記下部メイン電極、 前記第１中央メイン電極及び前記第２中央メイン電極の中で少なくとも一つの幅は、３０μｍ 以上６０μｍ以下であることを特徴とする、請求項１記載のプラズマディスプレイパネル。
【請求項１０】
前記上部メイン電極、 前記下部メイン電極、前記第１中央メイン電極及び前記第２中央メイン電極は、何れも金属からなるバス電極であることを特徴とする、請求項１乃至９何れか記載のプラズマディスプレイパネル。
【請求項１１】
放電セルと、
複数個の上部メイン電極と前記複数個の上部メイン電極それぞれを連結する上部連結電極部とを含み、前記放電セルの上部領域に形成される上部電極部と、
複数個の下部メイン電極と前記複数個の下部メイン電極それぞれを連結する下部連結電極部とを含み、前記放電セルの下部領域に形成される下部電極部と、
複数個の第１中央メイン電極と前記複数個の第１中央メイン電極それぞれを連結する第１中央連結電極部とを含み、 前記上部電極部と前記下部電極部との間に形成される第１中央電極部と、
複数個の第２中央メイン電極と前記複数個の第２中央メイン電極それぞれを連結する第２中央連結電極部とを含み、 前記第１中央電極部と前記下部電極部との間に形成される第２中央電極部と、
前記上部電極部及び前記下部電極部に第１駆動パルスを印加する第１駆動部と、
前記第１中央電極部と前記第２中央電極部に第２駆動パルスを印加する第２駆動部と、を含むことを特徴とするプラズマディスプレイ装置。
【請求項１２】
前記第１駆動部は、前記上部電極部と前記下部電極部とに前記第１駆動パルスを印加してスキャン電極またはサステイン電極の何れかとして機能するようにして、
前記第２駆動部は、前記第１中央電極部と前記第２中央電極部に前記第２駆動パルスを印加して前記スキャン電極または前記サステイン電極の中で残りの電極として機能するようにすることを特徴とする、請求項１１記載のプラズマディスプレイ装置。
【請求項１３】
前記第１中央電極部と前記第２中央電極部とは互いに分離していることを特徴とする、請求項１１記載のプラズマディスプレイ装置 。
【請求項１４】
前記第１中央電極部と前記第２中央電極部の間の間隔は、５０μｍ以上２００μｍ以下であることを特徴とする、請求項１３記載のプラズマディスプレイ装置。
【請求項１５】
前記上部メイン電極、 前記下部メイン電極、前記第１中央メイン電極及び前記第２中央メイン電極は、何れも金属からなるバス電極であることを特徴とする、請求項１１乃至１４何れか記載のプラズマディスプレイ装置。
【発明の詳細な説明】
【技術分野】
【０００１】
本発明は、プラズマディスプレイパネル及びプラズマディスプレイ装置に関し、 より詳くは電極を含むプラズマディスプレイパネル及びプラズマディスプレイ装置に関する。
【背景技術】
【０００２】
一般的に、 プラズマディスプレイパネルはソーダライム（Ｓｏｄａ−ｌｉｍｅ）ガラスになった前面基板と背面基板からなる。 前面基板と背面基板の間に形成された隔壁は放電セルを区切る。 放電セル内部に注入されたヘリウム-キセノン（Ｈｅ−Ｘｅ）、 ヘリウム-ネオン（Ｈｅ−Ｎｅ）などのような不活性ガスは高周波電圧によって放電を起こす。 放電が起きる時真空紫外線（Ｖａｃｕｕｍ Ｕｌｔｒａｖｉｏｌｅｔ ｒａｙｓ）が発生して、 真空紫外線が隔壁の間に形成された蛍光体を発光させることで画像が具現される。
【０００３】
図1は従来プラズマディスプレイパネルの構造を概略的に示す斜視図である。 図1に示すように従来のプラズマディスプレイパネルは前面パネルと後面パネルからなる。 前面パネルは前面ガラス基板１０を含み、後面パネルは後面ガラス基板２０を含む。 前面パネルと後面パネルは一定距離を間に置いて平行に結合される。
【０００４】
前面ガラス基板１０上には相互放電によってセルの発光を維持するための維持電極対(１１、１２)が形成される。 維持電極対はスキャン電極１１とサステイン電極１２からなる。 スキャン電極１１とサステイン電極１２それぞれは、透明な ＩＴＯ 物質に形成された透明電極(１１a、１２a)と金属材質に製作されたバス電極(１１b、１２b)からなる。 スキャン電極１１はパネルをスキャンするためのスキャン信号と放電維持のための維持信号との入力を受ける。 サステイン電極１２は、主として維持信号の入力を受ける。 誘電体層１３ａは維持電極対(１１、１２)の上部に形成されて、放電電流を制限して電極対の間を切縁させる。 保護層１４は、誘電体層１３ａ 上面に形成されて放電条件を容易くするために酸化マグネシウム（ＭｇＯ）からなる。
【０００５】
後面ガラス基板２０上には、維持電極対(１１、１２)と交差されるようにアドレス電極２２ が配置される。 誘電体層１３ｂは、アドレス電極２２の上部に形成されてアドレス電極２２の間を絶縁させる。 隔壁２１は、誘電体層１３ｂ上に形成されて放電セルを区切る。  Ｒ、Ｇ、Ｂ蛍光層２３は、隔壁２１と隔壁２１の間に塗布されて画像の表示のための可視光線を放出する。
【０００６】
前面ガラス基板１０と後面ガラス基板２０は、シーリング材（sealing material）によって合着される。 ヘリウム（Ｈｅ）、 ネオン（Ｎｅ）、 キセノン（Ｘｅ）などのような不活性ガスは排気工程が遂行された後プラズマディスプレイパネル内部に注入される。
【０００７】
このような一般的なプラズマディスプレイパネルは、高価な透明電極を含むので製造費用が上昇する問題点があった。 このような問題点を解決するために透明電極を使わないフェンスタイプ（Fence type）電極構造が提案された。
【０００８】
図２は従来のフェンスタイプ電極構造を持った放電セルの平面図である。 図２に示すように、 高価な透明電極を無くす代りに複数個のスキャン用バス電極２１０と複数個のサステイン用バス電極２２０が放電空間内部の上部と下部とに形成される。 また、複数個のスキャン用バス電極２１０を連結するスキャン用連結電極２３０と複数個のサステイン用バス電極２２０を連結するサステイン用連結電極２４０が形成される。
【０００９】
スキャン用連結電極２３０によって繋がれたスキャン用バス電極２１０とサステイン用連結電極２４０によって繋がれたサステイン用バス電極２１０はお互いに所定距離位離隔されて放電ギャップ２５０を形成する。
【００１０】
このようなペンスタイプ（Fence type）電極構造は高価な透明電極なしでも放電が可能だが不透明なバス電極を通じて放電が成り立つので開口率が減少する。 このような不透明なバス電極が全て放電空間内部に形成されているから開口率はさらに減少する。また、放電空間とフェンスタイプのバス電極の重なる面積は放電空間と図1の透明電極(１１a、１２a)が重なる面積に比べて小さいから放電量が小さく放電が放電空間全体で拡散しないという問題点が発生する。
【００１１】
従来のペンスタイプ電極構造で開口率が小さく放電拡散が良好でないという問題点は結果的にプラズマディスプレイパネルの放電維持電圧を上昇させて輝度及び放電效率を減少させる。
【発明の開示】
【発明が解決しようとする課題】
【００１２】
本発明の目的は、バス電極だけで放電拡散が円滑にできるプラズマディスプレイパネル及びプラズマディスプレイ装置を提供することにある。
【００１３】
また、本発明の他の目的は、放電維持電圧を減少させて輝度及び放電效率を増加させることができるプラズマディスプレイパネル及びプラズマディスプレイ装置を提供することにある。
【課題を解決するための手段】
【００１４】
本発明のプラズマディスプレイパネルは隔壁によって区画される放電セルと、 複数個の上部メイン電極と前記複数個の上部メイン電極それぞれを連結する上部連結電極部を含み、   前記放電セルの上部領域に形成される上部電極部と、 複数個の下部メイン電極と前記複数個の下部メイン電極それぞれを連結する下部連結電極部を含み、 前記放電セルの下部領域に形成される下部電極部と、 複数個の第１中央メイン電極と前記複数個の第１中央メイン電極それぞれを連結する第１中央連結電極部を含んで、 前記上部電極部と前記下部電極部の間に形成される第１中央電極部と、複数個の第２中央メイン電極と前記複数個の第２中央メイン電極それぞれを連結する第２中央連結電極部を含み、 前記第１中央電極部と前記下部電極部の間に形成される第２中央電極部とを含む。
【００１５】
本発明によるプラズマディスプレイ装置は隔壁によって区画される放電セルと、 複数個の上部メイン電極と前記複数個の上部メイン電極それぞれを連結する上部連結電極部を含み、 前記放電セルの上部領域に形成される上部電極部と、複数個の下部メイン電極と前記複数個の下部メイン電極それぞれを連結する下部連結電極部を含み、 前記放電セルの下部領域に形成される下部電極部と、 複数個の第１中央メイン電極と前記複数個の第１中央メイン電極それぞれを連結する第１中央連結電極部を含み、 前記上部電極部と前記下部電極部の間に形成される第１中央電極部、 複数個の第２中央メイン電極と前記複数個の第２中央メイン電極それぞれを連結する第２中央連結電極部を含み、 前記第１中央電極部と前記下部電極部の間に形成される第２中央電極部と、 前記上部電極部及び前記下部電極部に第１駆動パルスを印加する第１駆動部と、前記第１中央電極部と前記第２中央電極部に第２駆動パルスを印加する第２駆動部を含む。
【００１６】
前記上部電極部及び前記下部電極部はスキャン電極またはサステイン電極中の一つで、 前記第１中央電極部及び前記第２中央電極部は前記スキャン電極または前記サステイン電極の中で残り電極であることを特徴とする。
【００１７】
前記上部電極部と前記第１中央電極部は第１放電ギャップを形成することを特徴とする。
【００１８】
前記下部電極部と前記第２中央電極部は第２放電ギャップを形成することを特徴とする。
前記上部電極部と前記第１中央電極部とが第１放電ギャップを形成し、前記下部電極部と前記第２中央電極部とが第２放電ギャップを形成しており、前記放電セルは２つの放電ギャップを有することをことを特徴とする。
【００１９】
前記第１中央電極部と前記第２中央電極部は互いに分離していることを特徴とする。
【００２０】
前記第１中央電極部と前記第２中央電極部の間の間隔は５０μｍ以上２００μｍ 以下のことを特徴とする。
前記上部メイン電極、 前記下部メイン電極、前記第１中央メイン電極及び前記第２中央メイン電極は、何れも金属からなるバス電極であることを特徴とする、
【００２１】
前記上部連結電極部、前記下部連結電極部、前記第１中央連結電極部及び前記第２中央連結電極部の中で少なくとも一つは一つ以上の連結電極を含むことを特徴とする。
【００２２】
前記上部メイン電極、前記下部メイン電極、 前記第１中央メイン電極及び前記第２中央メイン電極の中で少なくとも一つの幅は３０μｍ以上６０μｍ以下のことを特徴とする。
【００２３】
前記第１駆動部は前記上部電極部と前記下部電極部に前記第１駆動パルスを印加してスキャン電極またはサステイン電極の中で一つに機能するようにして、 前記第２駆動部は前記第１中央電極部と前記第２中央電極部に前記第２駆動パルスを印加して前記スキャン電極または前記サステイン電極の中で残りに機能するようにすることを特徴とする。
【００２４】
前記第１中央電極部と前記第２中央電極部はお互いに分離していることを特徴とする。
【００２５】
前記第１中央電極部と前記第２中央電極部の間の間隔は５０μｍ以上２００μｍ以下のことを特徴とする。
【発明の効果】
【００２６】
本発明は、複数個の放電ギャップを形成して放電量を増加させて放電拡散を容易くする。
【００２７】
本発明は、複数個の放電ギャップを形成して放電維持電圧を減少させて輝度及び放電效率を増加させる。
【発明を実施するための最良の形態】
【００２８】
以下、本発明による具体的な実施形態を添付された図面を参照して説明する。
【００２９】
図３は、本発明によるプラズマディスプレイパネルの平面図である。 図３に示すように、 本発明によるプラズマディスプレイパネルは、放電セル２９０、上部電極部３１０、下部電極部３２０、第１中央電極部３３０及び第２中央電極部３４０を含む。
【００３０】
放電セル２９０は、隔壁２９５によって区画される。
【００３１】
上部電極部３１０は、複数個の上部メイン電極(３１１、３１３)を互いに連結する上部連結電極部３１５を含み、 放電セル２９０の上部領域に形成される。 図３の上部連結電極部３１５は、一つの上部連結電極で成り立っているが、 複数個の上部連結電極からなることもできる。 複数個の上部メイン電極(３１１、３１３)と上部連結電極部３１５とはバス電極である。バス電極は、通常、金属からなる。上部メイン電極(３１１、３１３)それぞれの幅は、３０μｍ以上６０μｍ以下である。
【００３２】
下部電極部３２０は、複数個の下部メイン電極(３２１、３２３)を互いに連結する下部連結電極部３２５を含み、 放電セル２９０の下部領域に形成される。 図３の下部連結電極部３２５は、一つの下部連結電極からなるが、 複数個の下部連結電極からなることもできる。 複数個の下部メイン電極(３２１、３２３)と下部連結電極部３２５とは、バス電極である。バス電極は、通常、金属からなる。下部メイン電極(３２１、３２３) それぞれの幅は、３０μｍ以上６０μｍ以下である。
【００３３】
第１中央電極部３３０は複数個の第１中央メイン電極(３３１、３３３)を互いに連結する第１中央連結電極部３３５を含んで、 上部電極部３１０と下部電極部３２０との間に形成される。 図３の第１中央連結電極部３３５は、一つの第１中央連結電極からなるが、 複数個の第１中央連結電極からなることもできる。複数個の第１中央メイン電極(３３１、３３３)と第１中央連結電極部３３５とはバス電極である。バス電極は、通常、金属からなる。第１中央メイン電極(３３１、３３３) それぞれの幅は、３０μｍ以上 ６０μｍ 以下である。
【００３４】
第２中央電極部３４０は、複数個の第２中央メイン電極(３４１、３４３)を互いに連結する第２中央連結電極部３４５を含み、 第１中央電極部３３０と下部電極部３２０との間に形成される。 図３の第２中央連結電極部３４５は、一つの第２中央連結電極からなるが、 複数個の第２中央連結電極からなることもできる。 複数個の第２中央メイン電極(３４１、３４３)と第２中央連結電極部３４５とはバス電極である。バス電極は、通常、金属からなる。第２中央メイン電極(３４１、３４３)それぞれの幅は、３０μｍ以上６０μｍ以下である。
【００３５】
このような上部電極部３１０と下部電極部３２０は、スキャン電極またはサステイン電極の中で一つの機能を遂行して、第１中央電極部３３０と第２中央電極部３４０とは、残り電極の機能を遂行する。これによって放電セル２９０内には二つの放電ギャップ(３５０、３６０)が形成される。 すなわち、上部電極部３１０と第１中央電極部３３０は第１放電ギャップ３５０を形成して、下部電極部３２０と第２中央電極部３４０は第２放電ギャップ３６０を形成する。このような本発明のプラズマディスプレイパネルは、複数個の放電ギャップ(３５０、３６０)が一つの放電セル２９０で形成されるので放電量が増加する。
【００３６】
また、電極部(３１０、３２０、３３０、３４０)に含まれた連結電極部(３１５、３２５、３３５、３４５)と、メイン電極(３１１、３１３、３２１、３２３、３３１、３３３、３４１、３４３)とは、二つの放電ギャップ(３５０、３６０)で起きた放電を放電セル２９０の全体領域に拡散する。したがって本発明のプラズマディスプレイパネルは、放電量を増加させて放電拡散を容易くするので放電效率が増加する。これによって本発明のプラズマディスプレイパネルは、放電維持電圧を減少させて輝度及び放電效率を増加させる。 また、複数個の放電ギャップ(３５０、３６０)が放電セル２９０の上部と下部で形成されるので各電極上に十分な壁電荷が積もることができる。
【００３７】
一方、 本発明の第１中央電極部３３０と第２中央電極部３４０とはお互いに分離するのが望ましい。 第１中央電極部３３０と第２中央電極部３４０の間の間隔３７０は、５０μｍ以上２００μｍ以下が望ましい。
【００３８】
第１中央電極部３３０と第２中央電極部３４０とが分離していない場合、 第１放電ギャップ３５０で起きた放電が第２放電ギャップ３６０で起きた放電に影響を及ぼす。 すなわち、 二つの放電ギャップ(３５０、３６０)の設計値が同様としても、 壁電荷の拡散によって先に起きた放電が後で起きた放電に影響を及ぼす。
【００３９】
例えば、 第１中央電極部３３０と第２中央電極部３４０とが繋がれていて、上部電極部３１０と第１中央電極部３３０とによって形成された第１放電ギャップ３５０で放電が先に起きれば、第１中央電極部３３０上の壁電荷が第２中央電極部３４０に移動して、第２中央電極部３４０と下部電極部３２０によって形成された第２放電ギャップ３６０で起きた放電に影響を及ぼすようになる。したがって、図３に示すように、第１中央電極部３３０と第２中央電極部３４０とは互いに分離していることが望ましい。
【００４０】
次に図面を参照して本発明によるプラズマディスプレイ装置を詳しく説明する。
【００４１】
図４は、本発明によるプラズマディスプレイ装置の構成図である。 図４に示すように、 本発明によるプラズマディスプレイ装置は、放電セル２９０、上部電極部３１０、 下部電極部３２０、 第１中央電極部３３０、 第２中央電極部３４０、 第１駆動部４１０及び第２駆動部４２０を含む。本発明の放電セル２９０、上部電極部３１０、 下部電極部３２０、第１中央電極部３３０及び第２中央電極部３４０は前に説明したところと同様であるのでその詳細な説明は省略する。
【００４２】
第１駆動部４１０は、上部電極部３１０及び下部電極部３２０に第１駆動パルスを印加する。
【００４３】
第２駆動部４２０は、第１中央電極部３３０と第２中央電極部３４０に第２駆動パルスを印加する。
【００４４】
第１駆動部４１０が上部電極部３１０及び下部電極部３２０にリセットパルス、 スキャンパルス及びサステインパルスのような第１駆動パルスを印加すれば、上部電極部３１０ 及び下部電極部３２０はスキャン電極として機能する。 この時、第２駆動部４２０は、サステインパルスのような第２駆動パルスを第１中央電極部３３０と第２中央電極部３４０に印加して第１中央電極部３３０と第２中央電極部３４０がサステイン電極の機能を遂行するようにする。
【００４５】
反対に第２駆動部４２０が第１中央電極部３３０と第２中央電極部３４０にリセットパルス、 スキャンパルス及びサステインパルスのような第１駆動パルスを印加すれば、 第１中央電極部３３０と第２中央電極部３４０はスキャン電極として機能する。 この時、 第２駆動部４２０は第２駆動パルスを上部電極部３１０及び下部電極部３２０に印加して上部電極部３１０及び下部電極部３２０がサステイン電極の機能を遂行するようにする。
【００４６】
本発明の第１中央電極部３３０と第２中央電極部３４０は、互いに分離するのが望ましい。 第１中央電極部３３０と第２中央電極部３４０との間の間隔３７０は、５０μｍ以上２００μｍ以下が望ましい。
【図面の簡単な説明】
【００４７】
【図１】従来プラズマディスプレイパネルの装置構造を概略的に示す斜視図。
【図２】従来プラズマディスプレイパネルのフェンスタイプ電極構造を持った放電セルの平面図。
【図３】本発明によるプラズマディスプレイパネルの平面図。
【図４】本発明によるプラズマディスプレイ装置の構成図である。
【符号の説明】
【００４８】
２９０  放電セル
３１０  上部電極部
３２０  下部電極部
３３０  第１中央電極部
３４０  第２中央電極部
３１１，３１３  上部メイン電極
３３１，３３３  第１中央メイン電極
３４１，３４３  第２中央メイン電極
３２１，３２３  下部メイン電極
３１５  上部連結電極部
３３５  第１中央連結電極部
３４５  第２中央連結電極部
３２５  下部連結電極部
３５０，３６０  放電ギャップ
【図１】
2006114497.tif 000003
【図３】
2006114497.tif 000004
【図２】
2006114497.tif 000005
【図４】
2006114497.tif 000006